【手続補正書】
【提出日】平成21年9月11日(2009.9.11)
【手続補正１】
【補正対象書類名】特許請求の範囲
【補正対象項目名】全文
【補正方法】変更
【補正の内容】
【特許請求の範囲】
【請求項１】
システムにおいて、
複数のノズルを有する実験室用被着システムを制御するように構成されたコンピュータシステム、
少なくとも第１のノズルを通る少なくとも第１の液体のジェット射出に作用する波形のパラメータを制御するように構成され、前記第１のノズルに送られる第１の駆動パルスの複数の波形パラメータのユーザによる調節を可能にする、前記コンピュータシステムへのグラフィカルユーザインターフェース、及び
前記第１のノズルを通して射出される少なくとも前記第１の液体の実時間フィードバック情報を提供するように構成された、前記実験室用被着システムと通信する態様で接続されたカメラ、
を備え、
前記グラフィカルユーザインターフェースが、
前記波形パラメータを調節するように構成された波形エディタ、及び
前記第１のノズルを通してジェット射出されている前記第１の液体の実時間静止画像及びビデオ画像を表示するように構成された、前記カメラ及び前記波形エディタに通信可能な態様で接続された液滴監視機能装置、
をさらに含むことを特徴とするシステム。
【請求項２】
前記波形パラメータが、前記第１のノズルに送られる前記第１の駆動パルスの、電圧レベル、スルーレート、持続時間、複数のセグメント、周波数及び幅の内の少なくとも１つを含むことを特徴とする請求項１に記載のシステム。
【請求項３】
前記波形エディタがさらに、前記第１の駆動パルスの前記電圧レベルを段階増分で調節するように構成されることを特徴とする請求項２に記載のシステム。
【請求項４】
前記第１の駆動パルスがジェット射出波形及び無ジェット射出波形を有することを特徴とする請求項１に記載のシステム。
【請求項５】
前記波形エディタがさらに、波形セグメントを追加するかまたは削減するために前記波形パラメータを調節するように構成されることを特徴とする請求項１に記載のシステム。
【請求項６】
前記グラフィカルユーザインターフェースがさらに、前記波形エディタ及び前記液滴監視機能装置を同時にユーザに提供するように構成されることを特徴とする請求項１に記載のシステム。
【請求項７】
前記グラフィカルユーザインターフェースが、
液体カートリッジの物理的装着を実行するための情報を提供するように構成されたカートリッジ装着インターフェース、
所定のプリントパターンを選択するように構成されたプリントパターン選択インターフェース、
基板をロードまたはアンロードするように構成された基板ロード／アンロードインターフェース、及び
カートリッジ設定を調節するように構成されたプリント設定インターフェース、
をさらに含むことを特徴とする請求項１に記載のシステム。
【請求項８】
複数の所定の駆動パルスを格納するように構成された、前記コンピュータシステムに通信可能な態様で接続された記憶ユニットをさらに備え、前記波形エディタがさらに、前記格納されている所定の駆動パルスの内の１つを選択するように構成されることを特徴とする請求項１に記載のシステム。
【請求項９】
前記プリント設定インターフェースがさらに、前記第１のノズルのメンテナンスを実施するための１つまたはそれより多くの清掃サイクルを作成及び調節するように構成されることを特徴とする請求項７に記載のシステム。
【請求項１０】
前記プリントパターン選択インターフェースがさらに、第１の所定のパターンを調節するかまたは新規のパターンを作成するように構成されたパターンエディタを含み、
前記パターンエディタがさらに、基板高、基板幅、パターンブロック始点Ｘ−座標、パターンブロック始点Ｙ−座標、パターンブロック高、パターンブロック幅、パターンブロック液滴始点Ｘ−座標、パターンブロック液滴位置Ｙ−座標、パターンブロック液滴位置高及びパターンブロック液滴位置幅の内の少なくとも１つを調節するように構成されることを特徴とする請求項７に記載のシステム。
【請求項１１】
前記グラフィカルユーザインターフェースが、第２のノズルを通る第２の液体のジェット射出を制御するように構成されることを特徴とする請求項１に記載のシステム。
【請求項１２】
方法において、
複数のノズルを通る液体のジェット射出に作用する波形のパラメータを制御するように構成された、コンピュータシステム上のグラフィカルユーザインターフェースを提供する工程、
第１のノズルを通る第１の液体のジェット射出を実施するために前記第１のノズルに第１の駆動パルスを印加する工程、
前記第１のノズルを通して射出されている前記第１の液体の実時間視覚フィードバック情報を取り込む工程であって、前記第１のノズルを通してジェット射出されている前記第１の液体の静止画像及びビデオ画像を取り込む工程を含む工程、及び
前記取り込まれた視覚フィードバック情報に基づいて前記第１のノズルを通る前記第１の液体のジェット射出を制御するために前記第１のノズルに送られる前記第１の駆動パルスの複数の波形パラメータを調節する工程、
を含むことを特徴とする方法。
【請求項１３】
前記波形パラメータを調節する工程が、前記第１のノズルに印加される前記第１の駆動パルスの、電圧レベル、スルーレート、持続時間、複数のセグメント、周波数及び幅の内の少なくとも１つを調節する工程を含むことを特徴とする請求項１２に記載の方法。
【請求項１４】
前記波形パラメータを調節する工程が、ジェット射出波形及び無ジェット射出波形の前記波形パラメータを調節する工程をさらに含むことを特徴とする請求項１２に記載の方法。
【請求項１５】
前記波形パラメータを調節する工程が、前記第１の駆動パルスに波形セグメントを追加するかまたは前記第１の駆動パルスから削減する工程をさらに含むことを特徴とする請求項１２に記載の方法。
【請求項１６】
前記グラフィカルユーザインターフェースを提供する工程が、
カートリッジ装着インターフェースを介して液体カートリッジを物理的に装着するためのガイドを提供する工程、
プリントパターン選択インターフェースを用いて所定のプリントパターンを選択する工程、
基板ロード／アンロードインターフェースを用いて基板をロードまたはアンロードする工程、及び
プリント設定インターフェースを用いてカートリッジ設定を調節する工程、
をさらに含むことを特徴とする請求項１２に記載の方法。
【請求項１７】
複数の所定の駆動パルスを格納するための記憶ユニットを提供する工程をさらに含み、前記複数の波形パラメータを調節する工程が、前記記憶ユニットに格納されている前記所定の駆動パルスから前記第１の駆動パルスを選択する工程をさらに含むことを特徴とする請求項１２に記載の方法。
【請求項１８】
前記カートリッジ設定を調節する工程が、カートリッジ温度を調節する工程をさらに含むことを特徴とする請求項１６に記載の方法。
【請求項１９】
前記カートリッジ設定を調節する工程が、所定のプリントパターンを編集する工程または新規のプリントパターンを作成する工程をさらに含み、
前記所定のプリントパターンを編集する工程または前記新規のプリントパターンを作成する工程が、基板高、基板幅、パターンブロック始点Ｘ−座標、パターンブロック始点Ｙ−座標、パターンブロック高、パターンブロック幅、パターンブロック液滴始点Ｘ−座標、パターンブロック液滴位置Ｙ−座標、パターンブロック液滴位置高及びパターンブロック液滴位置幅の内の少なくとも１つを調節する工程をさらに含むことを特徴とする請求項１６に記載の方法。
【請求項２０】
第２のノズルを通る第２の液体のジェット射出を実施するために前記第２のノズルに第２の駆動パルスを印加する工程、
前記第２のノズルを通して射出されている前記第２の液体の実時間視覚フィードバック情報を取り込む工程、及び
前記取り込まれた視覚フィードバック情報に基づいて前記第２のノズルを通る前記第２の液体のジェット射出を制御するために前記第２のノズルに送られる前記第２の駆動パルスの複数の波形パラメータを調節する工程、
をさらに含むことを特徴とする請求項１２に記載の方法。
【請求項２１】
コンピュータ読取可能媒体上のコード化されたコンピュータプログラム製品において、データ処理装置に、
複数のノズルを通る複数の液体のジェット射出に作用する波形のパラメータを制御するように構成されたグラフィカルインターフェースをコンピュータ上で実行する動作、
第１のノズルを通る液体のジェット射出を実施するために前記第１のノズルに第１の駆動パルスを印加する動作、
前記第１のノズルを通して射出されている前記第１の液体の実時間視覚フィードバック情報を取り込む動作、及び
前記取り込まれた視覚フィードバック情報に基づいて前記第１のノズルを通る前記第１の液体のジェット射出を制御するために前記第１のノズルに送られる前記第１の駆動パルスの複数の波形パラメータを調節する動作、
を含む動作を実施させるようにはたらくことができることを特徴とする製品。
【請求項２２】
データ処理装置に、さらに、前記第１のノズルに印加される前記第１の駆動パルスの、電圧レベル、スルーレート、持続時間、複数のセグメント、周波数及び幅の内の少なくとも１つを調節する動作を含む動作を実施させるようにはたらくことができることを特徴とする請求項２１に記載の製品。
【請求項２３】
データ処理装置に、さらに、前記第１のノズルに印加される前記第１の駆動パルスの前記電圧レベルを段階増分で調節する動作を含む動作を実施させるようにはたらくことができることを特徴とする請求項２１に記載の製品。
【請求項２４】
データ処理装置に、さらに、前記第１の駆動パルスのジェット射出波形及び無ジェット射出波形の前記波形パラメータを調節する動作を含む動作を実施させるようにはたらくことができることを特徴とする請求項２１に記載の製品。
【請求項２５】
データ処理装置に、さらに、前記第１の駆動パルスに波形セグメントを追加するかまたは前記第１の駆動パルスから削減する動作を含む動作を実施させるようにはたらくことができることを特徴とする請求項２１に記載の製品。
【請求項２６】
データ処理装置に、さらに、
カートリッジ装着インターフェースを介して液体カートリッジを物理的に装着するためのガイドを提供する動作、
プリントパターン選択インターフェースを用いて所定のパターンを選択する動作、
基板ロード／アンロードインターフェースを用いて基板をロードまたはアンロードする動作、及び
プリント設定インターフェースを用いてカートリッジ設定を調節する動作、
を含む動作を実施させるようにはたらくことができることを特徴とする請求項２１に記載の製品。
【請求項２７】
データ処理装置に、さらに、複数の所定の駆動パルスを格納する動作及び記憶ユニットに格納されている前記所定の駆動パルスから前記第１の駆動パルスを選択する動作を含む動作を実施させるようにはたらくことができることを特徴とする請求項２１に記載の製品。
【請求項２８】
データ処理装置に、さらに、プラテン温度及び基板厚を調節する動作並びにプラテン真空の印加を可能にするかまたは不能にする動作を含む、基板をロードまたはアンロードする動作を含む動作を実施させるようにはたらくことができることを特徴とする請求項２６に記載の製品。
【請求項２９】
データ処理装置に、さらに、基板高、基板幅、パターンブロック始点Ｘ−座標、パターンブロック始点Ｙ−座標、パターンブロック高、パターンブロック幅、パターンブロック液滴始点Ｘ−座標、パターンブロック液滴位置Ｙ−座標、パターンブロック液滴位置高及びパターンブロック液滴位置幅の内の少なくとも１つを調節する動作を含む、前記所定のプリントパターンを編集する動作または前記新規のプリントパターンを作成する動作を含む動作を実施させるようにはたらくことができることを特徴とする請求項２７に記載の製品。
【請求項３０】
データ処理装置に、さらに、
第２のノズルを通る第２の液体のジェット射出を実施するために前記第２のノズルに第２の駆動パルスを印加する動作、
前記第２のノズルを通して射出されている前記第２の液体の実時間視覚フィードバック情報を取り込む動作、及び
前記取り込まれた視覚フィードバック情報に基づいて前記第２のノズルを通る前記第２の液体のジェット射出を制御するために前記第２のノズルに送られる前記第２の駆動パルスの複数の波形パラメータを調節する動作、
を含む動作を実施させるようにはたらくことができることを特徴とする請求項２１に記載の製品。